(57)【特許請求の範囲】
【請求項１】
紙箱等の容器の内側に収納する板紙製中仕切りであって、該中仕切りは容器内底面に接する矩形底面と、該矩形底面の前後から延出し容器内側に立ち上る両立ち上り片と、該立ち上り片の途中から容器内底面に向けて突出形成した仕切り片と、該仕切り片の周囲の立ち上り片及び矩形底面に亘って連続して形成した切り欠き空隙部とからなり、かつ展開状態にある中仕切りをワンタッチで容器内に収納し得るように形成したことを特徴とする容器用中仕切り。
【請求項２】
前記仕切り片は、矩形底面の前後から延出し容器内側に立ち上る両立ち上り片の対向する位置から一対または所定間隔をおいて二対以上形成したことを特徴とする請求項１記載の容器用中仕切り。
【請求項３】
紙箱等の容器の内側に収納する板紙製中仕切りであって、該中仕切りは容器内底面に接する矩形底面と、該矩形底面端部から延出し容器内側の横側壁及び容器内側の両縦側壁端部のそれぞれに当接して略垂直に立ち上る横立ち上り片を、板紙裏面の折り目を介して形成するとともに、前記矩形底面端部から延出し容器内側の縦側壁上部に弾圧当接するように傾斜して立ち上る縦立ち上り片は、板紙裏面に形成する折り目が前記横立ち上り片の両端より内側に位置して形成し、かつ該縦立ち上り片の途中から容器内底面に向けて突出形成した仕切り片と、該仕切り片の周囲の縦立ち上り片及び矩形底面に亘って連続して形成した切り欠き空隙部とを設け、展開状態にある中仕切りをワンタッチで容器内に収納し得るように上記縦立ち上り片の両端部の下部側を切り欠くとともに仕切り片も容器内でワンタッチで仕切り状態に配置し得る構成としたことを容器用中仕切り。
【請求項４】
前記板紙製中仕切りは表面全体が不織布シート、布製生地等  の被覆シート材で被覆され、かつ前記横立ち上り片の長手方向の長さは前記容器内側の両縦側壁に達する長さに形成し、前記傾斜して立ち上る縦立ち上り片の立ち上り方向の長さは前記横立ち上り片の立ち上り長さよりも長く形成し、横立ち上り片及び縦立ち上り片の上端部が同じ高さとなり、縦立ち上り片の折り目方向の長さは左右に設けた横立ち上り片の内面に接する長さに形成し、該縦立ち上り片の上部を容器内側の縦側壁上部に弾圧せしめ、かつ該縦立ち上り片の途中から容器内底面に向けて突出形成した仕切り片と、該仕切り片の周囲の縦立ち上り片及び矩形底面に亘って連続して形成した切り欠き空隙部とを設けるとともに、前記横立ち上り片の両端下端部の角部が収納時に縦立ち上り片に当たらないように縦立ち上り片の両端下部に切り欠き部を形成したことを特徴とする請求項３記載の容器用中仕切り。
【発明の詳細な説明】
【０００１】
【発明の属する技術分野】
本発明は贈答用ハム等の食料品その他各種商品を収納する紙箱等の容器用中仕切りに関する。
【０００２】
【従来の技術】
従来の紙箱等の容器用中仕切りは、容器内に収納する中敷きとは別個に、中敷きを横断するように仕切りを設けていた。
【０００３】
【発明が解決しようとする課題】
上記従来の中仕切りにあっては、容器内に中敷きを収納した後に、さらに中敷きを横断するように仕切りをセットしなければならず、ワンタッチでセットすることが困難であった。また中敷きもワンタッチで容器内に収納することができず、立ち上り片の四片を手で押さえながら収納しなければならず、一挙に容器内に収納することは困難であり、折り曲げ作業や収納作業に時間を要する等の難点がある他、各立ち上り片も強度的に弱い構造であった。
【０００４】
本発明は上記の点に鑑みてなされたもので、その目的とするところは、中仕切りを容器内に収納する際にワンタッチで行うことができ、収納作業が極めて簡単で、かつ収納後も中仕切りが容器内でぐらつくことがなく、しっかりと安定した状態で収納でき、かつ仕切り片も剛直性を備え、収納物を容器内で移動するの簡単に阻止できる容器用中仕切りを提供することにある。
【０００５】
【課題を解決するための手段】
本発明に係る容器用中仕切りは、紙箱等の容器の内側に収納する板紙製中仕切  りであって、該中仕切りは容器内底面に接する矩形底面と、該矩形底面の前後から延出し容器内側に立ち上る両立ち上り片と、該立ち上り片の途中から容器内底面に向けて突出形成した仕切り片と、該仕切り片の周囲の立ち上り片及び矩形底面に亘って連続して形成した切り欠き空隙部とからなり、かつ展開状態にある中仕切りをワンタッチで容器内に収納し得るように形成したものである。
【０００６】
また本発明に係る容器用中仕切りは、前記仕切り片を、矩形底面の前後から延出し容器内側に立ち上る両立ち上り片の対向する位置から一対または所定間隔をおいて二対以上形成したものである。
【０００７】
さらに本発明に係る容器用中仕切りは、紙箱等の容器の内側に収納する板紙製中仕切りであって、該中仕切りは容器内底面に接する矩形底面と、該矩形底面端部から延出し容器内側の横側壁及び容器内側の両縦側壁端部のそれぞれに当接して略垂直に立ち上る横立ち上り片を、板紙裏面の折り目を介して形成するとともに、前記矩形底面端部から延出し容器内側の縦側壁上部に弾圧当接するように傾斜して立ち上る縦立ち上り片は、板紙裏面に形成する折り目が前記横立ち上り片の両端より内側に位置して形成し、かつ該縦立ち上り片の途中から容器内底面に向けて突出形成した仕切り片と、該仕切り片の周囲の縦立ち上り片及び矩形底面に亘って連続して形成した切り欠き空隙部とを設け、展開状態にある中仕切りをワンタッチで容器内に収納し得るように上記縦立ち上り片の両端部の下部側を切り欠くとともに仕切り片も容器内でワンタッチで仕切り状態に配置し得る構成としたものである。
【０００８】
また請求項３において、前記板紙製中仕切りは表面全体が不織布シート、布製生地等の被覆シート材で被覆され、かつ前記横立ち上り片の長手方向の長さは前記容器内側の両縦側壁に達する長さに形成し、前記傾斜して立ち上る縦立ち上り片の立ち上り方向の長さは前記横立ち上り片の立ち上り長さよりも長く形成し、横立ち上り片及び縦立ち上り片の上端部が同じ高さとなり、縦立ち上り片の折り目方向の長さは左右に設けた横立ち上り片の内面に接する長さに形成し、該縦立ち上り片の上部を容器内側の縦側壁上部に弾圧せしめ、かつ該縦立ち上り片の途中から容器内底面に向けて突出形成した仕切り片と、該仕切り片の周囲の縦立ち上り片及び矩形底面に亘って連続して形成した切り欠き空隙部とを設けるとともに、前記横立ち上り片の両端下端部の角部が収納時に縦立ち上り片に当たらないように縦立ち上り片の両端下部に切り欠き部を形成した容器用中仕切りである。
【０００９】
【作用】
板紙製中仕切りにはあらかじめその裏面に折り目を介して横立ち上り片及び縦立ち上り片が形成されている。この板紙製中仕切りの裏面を下にした状態で、かつ板紙製中仕切りを略平面状に展開した状態で、容器の真上に位置させた状態で指で板紙製中仕切りの矩形底面の表面中央部を強く下方に押すだけで各折り目を介して横立ち上り片及び縦立ち上り片が起立状態となって容器内にワンタッチで収納される。横立ち上り片は容器内側の横側壁及び容器内側の両縦側壁端部のそれぞれに当接して略垂直に立ち上ることとなる。また縦立ち上り片は容器内側の縦側壁上部に弾圧当接するように傾斜して立ち上る。
そして重要なことは縦または横の立ち上り片のいずれか一方に形成した仕切り片は、立ち上り片が容器内に収納される過程において立ち上るに従い仕切り片の先端が下降して容器の内底面に当たると、スライドしながら前進して剛直性のある傾斜片が得られ、仕切り状態に配置される。
【００１０】
前記板紙製中仕切りは表面全体が不織布シート、布製生地等の被覆シート材で被覆されている場合、あるいは被覆されていない場合のいずれであってもよい。横立ち上り片の両端は容器内側の両縦側壁に達した状態で固定される。一方、傾斜して立ち上る縦立ち上り片は、横立ち上り片の上端部と同じ高さとなり、縦立ち上り片の両端は横立ち上り片の内面に接した状態で固定されるとともに縦立ち上り片の上部は折り目に沿った全体の力を受けて容器内側の縦側壁上部をしっかりと弾圧することとなる。そして、前記板紙製中仕切りを容器に収納するに際しては、前記横立ち上り片の両端下端部の角部が収納時に縦立ち上り片に当たらないように縦立ち上り片の両端下部に切り欠き部を形成しているので各立ち上り片はスムースに折り曲げられながら収納されることとなる。この時、前記した仕切り片も容器内底面をスライドしながら仕切り状態に配置される。
【００１１】
【発明実施の形態】
以下、本発明の一実施例を図面に基づいて説明する。
１は矩形状の容器で、剛直さと製函適性を備えた板紙（段ボール、白ボール、マニラボール等の厚紙を含む）あるいは剛直さと製函適性を備えたものであればプラスチック等の他の材料であってもよい。
２は紙箱等の容器１の内側に収納する板紙製中仕切りであって、剛直さと製函適性を備えた板紙（段ボール、白ボール、マニラボール等の厚紙を含む）使用される。この中仕切り２は、容器１の内底面に接する矩形底面３と、矩形底面３の左右端部から延出し容器１の内側の横側壁１ａ及び容器１の内側の両縦側壁１ｂの端部のそれぞれに当接して略垂直に立ち上る横立ち上り片４と、矩形底面３の前後の端部から延出し容器１の内側の縦側壁１ｂ上部に弾圧当接するように傾斜して立ち上る縦立ち上り片５と、横または縦立ち上り片４または５いずれか一方（本例では縦立ち上り片５の場合を示す）途中から容器内底面に向けて突出形成した仕切り片６と、該仕切り片６の周囲の横または縦立ち上り片４または５及び矩形底面３に亘って連続して形成した切り欠き空隙部７とからとからなる。
本例では仕切り片６の基部が太く、先端に向かうに従い次第に細くなるように形成しているが、必ずしもこの形状に限定されるものではなく、要は仕切り片６自体に剛直性があって容器内収納時に内底面にスライドしながら円滑にワンタッチで配置去れるような形状であればよい。
【００１２】
板紙製中仕切り２は表面全体が不織布シート、布製生地等の被覆シート材８で被覆されているが、中仕切り２の使用目的に応じては、被覆シート材８を使用しない場合であってもよい。矩形底面３の大きさは左右方向が中仕切り２の板厚の２倍分を除いた長さで、前後方向が両縦立ち上り片５の立ち上りスペースを確保した長さに形成される。横立ち上り片４の長手方向の長さは容器１の内側の両縦側壁１ｂに達する長さに形成する。横立ち上り片４の立ち上り方向の長さは容器１の上端と略同一高さとするか、あるいはそれよりも若干短く形成する。また横立ち上り片４を形成するに当たっては、板紙裏面に直線的な折り目９を介して形成する。この折り目９は板紙の板厚方向の途中まで切り込みを入れることにより達成される。あまり深く切り込みを入れると、容器１の内壁に弾圧する力が減ずることとなるので、弾圧力を減じない程度の切り込みとすることが肝要である。
【００１３】
矩形底面３の前後の端部から延出し容器１の内側の縦側壁１ｂの上部に弾圧当接するように傾斜して立ち上る縦立ち上り片５は、横立ち上り片４の形成の場合と同様に板紙裏面に折り目１０を介して形成する。傾斜して立ち上る縦立ち上り片５の立ち上り方向の長さは横立ち上り片４の立ち上り長さよりも長く形成し、横立ち上り片４及び縦立ち上り片５の上端部が同じ高さとなるようにする。縦立ち上り片５の折り目１０方向の長さは左右に設けた横立ち上り片４の内面に接する長さに形成し、縦立ち上り片５の上部を容器１の内側の縦側壁１ｂの上部に弾圧せしめるように形成する。
【００１４】
矩形底面３の前後端部から延出し容器１の内側の縦側壁１ｂ上部に弾圧当接するように傾斜して立ち上る縦立ち上り片５は、板紙裏面に形成する折り目８が横立ち上り片４の両端より内側に位置した状態で形成することが肝要である。また縦立ち上り片５には、横立ち上り片４の両端下端部の角部４ａが収納時に縦立ち上り片５に当たらないように縦立ち上り片５の両端下部に切り欠き部１１を形成する。
【００１５】
【発明の効果】
本発明は上記の説明から判るように、中仕切りを容器内に収納する際にもワンタッチで行うことができ、かつ仕切り片も立ち上り片が起立状態に移行するにしたがい仕切り片の先端が容器内底面をスライドしながら前進し仕切り状態に配置され、収納作業が極めて簡単で、かつ収納後も中仕切りが容器内でぐらつくことがなく、しっかりと安定した状態で収納できる。
また縦立ち上り片には、横立ち上り片の両端下端部の角部が収納時に縦立ち上り片に当たらないように縦立ち上り片の両端下部に切り欠き部を形成しているので、容器収納時にスムースに確実に収納できる。
【図面の簡単な説明】
【図１】本発明の一実施例である板紙製中仕切りの裏面を示す平面図である。
【図２】本発明の一実施例である板紙製中仕切りを容器に収納した状態を示す斜視図である。
【図３】本発明の一実施例である板紙製中仕切りに被覆シート材を被覆した状態を示す平面図である。
【符号の説明】
１  矩形状の容器
１ａ  容器内側の横側壁
１ｂ  容器内側の縦側壁
２  板紙製中仕切り
３  矩形底面
４  横立ち上り片
４ａ  下端部の角部
５  縦立ち上り片
６  仕切り片
７  切り欠き空隙部
８  被覆シート材
９  横立ち上り片の折り目
１０  縦横立ち上り片の折り目
１１  切り欠き部
【図１】
0004243707.tif 000002
【図２】
0004243707.tif 000003
【図３】
0004243707.tif 000004